(57)【特許請求の範囲】
【請求項１】
延伸プラスチックフイルムからなる基材（１）の少なくとも一方の面に、基材（１）より融点の低いヒートシール用合成樹脂層（２）を設けた包装用フイルムであって、前記ヒートシール用合成樹脂層（２）が表面に連続する複数の突条（３）を所定の間隔で平行に設けたものであることを特徴とする包装用フイルム。
【請求項２】
延伸プラスチックフイルムからなる基材（１）の両側面に、基材（１）より融点の低いヒートシール用合成樹脂層（2a，2b）を設けた包装用フイルムであって、一方のヒートシール用合成樹脂層（2b）が表面に連続する複数の突条（３）を所定の間隔で平行に設けたものであり、もう一方のヒートシール用合成樹脂層（2a）が表面平滑なものであることを特徴とする包装用フイルム。
【請求項３】
延伸プラスチックフイルムがポリプロピレンからなるものであり、ヒートシール用合成樹脂層がコーポリタイプのポリプロピレンからなるものであることを特徴とする請求項１又は２記載の包装用フイルム。
【発明の詳細な説明】
【０００１】
【発明の属する技術分野】
この発明は、おにぎり、サンドイッチ、菓子等の食品だけでなく、各種製品の包装に使用される透明なプラスチックからなるヒートシール可能な包装用フイルムであって、特に引き裂き方向性を持たせてティアテープが無くても容易に開封できるようにした包装用フイルムに関するものである。
【０００２】
【従来の技術】
従来より、おにぎりやサンドイッチのような食品は透明なプラスチックからなる包装用フイルムにより包装されており、衛生的な状態で販売されるようになっている。また、箱詰めされた比較的小さな製品は、箱の上から透明なプラスチックからなる包装用フイルムにより包装され、箱が汚れて商品価値が落ちないように保護されて販売されている。
【０００３】
これらの包装用フイルムは、ヒートシール可能とするために、延伸プラスチックフイルムからなる基材ａの両側面に基材より融点の低いヒートシール用合成樹脂層ｂを設けたものが使用されていた。（図５参照）
さらに、需要者が購入後フイルムを引き裂いて開封し易いように、フイルムの内側面にはティアテープ（図示せず）が貼着されていた。
【０００４】
このティアテープによる開封は、包装用フイルムがティアテープに沿って真っ直ぐに切れにくいという問題や、包装工程でティアテープを包装用フイルムに貼着しなければならないため、コストが高くなるという問題点があった。
【０００５】
包装用フイルムがティアテープに沿って真っ直ぐに切れにくいという問題を解決するために、包装用フイルムとして引き裂き方向性を有するフイルムが使用されているが、このフイルムは特殊なフイルムであるため、ティアテープを使用する前記フイルムに比べ価格が高いという問題点があった。
【０００６】
【発明が解決しようとする課題】
そこでこの発明では、上記の問題点を解決し、引き裂き方向性を有し、ティアテープが不要でありながら価格の安い包装用フイルムを提供することを課題とする。
【０００７】
【課題を解決するための手段】
そのため、請求項１記載の発明では、延伸プラスチックフイルムからなる基材１の少なくとも一方の面に、基材１より融点の低いヒートシール用合成樹脂層２を設けた包装用フイルムであって、前記ヒートシール用合成樹脂層２が表面に連続する複数の突条３を所定の間隔で平行に設けたものとした。
【０００８】
また、請求項２記載の発明では、延伸プラスチックフイルムからなる基材１の両側面に、基材１より融点の低いヒートシール用合成樹脂層2a，2bを設けた包装用フイルムであって、一方のヒートシール用合成樹脂層2bが表面に連続する複数の突条３を所定の間隔で平行に設けたものであり、もう一方のヒートシール用合成樹脂層2aが表面平滑なものである包装用フイルムとした。
【０００９】
前記延伸プラスチックフイルムがポリプロピレンからなるものであり、ヒートシール用合成樹脂層がコーポリタイプのポリプロピレンからなるものとすることが好ましい。
【００１０】
【発明の実施の形態】
図１〜図４に基づき、この発明の実施例を説明する。
【００１１】
図１は、この発明の包装用フイルムであり、図示のとおり、表面に連続する複数の突条又は凹溝を所定の間隔で流れ方向に平行に設けている。この突条又は凹溝の間隔は任意であるが、2.5 〜５ミリメートルが適当である。
【００１２】
〔第１実施例〕
図２は、この発明の包装用フイルムの第１実施例の拡大断面図であり、厚さ約２０ミクロンの延伸ポリプロピレンフイルムからなる基材１の両側面に、コーポリタイプのポリプロピレンからなる厚さ約２ミクロンのヒートシール用合成樹脂層２を積層したものであり、このヒートシール用合成樹脂層２は、基材１より融点の低いものである。
【００１３】
このヒートシール用合成樹脂層２は、Ｔダイ法により形成されたものであり、所定の間隔で流れ方向に平行に突条３を形成している。この突条３の高さｈは、１〜５ミクロンが適当である。さらに、この突条３は、互いに対向する位置に配されている。
【００１４】
この発明の第１実施例の包装用フイルムでは、突条３の部分が厚く、他の部分より丈夫になっている。そのため、この包装用フイルムを引き裂くと、裂け目が突条３の部分にきても、他の部分の方が弱いので、突条３の部分を乗り越えて裂けない。
【００１５】
そのため、この包装用フイルムに突条３に平行な二つの切れ目を入れておき、その間を引っ張ると、帯状に切れるので、ティアテープが不要になる。しかも、材料となるプラスチックは従来のものであるので、価格の安い包装用フイルムとなる。
【００１６】
〔第２実施例〕
図３は、この発明の包装用フイルムの第２実施例の拡大断面図であり、厚さ約２０ミクロンの延伸ポリプロピレンフイルムからなる基材１の一方の面に、コーポリタイプのポリプロピレンからなる厚さ約２ミクロンのヒートシール用合成樹脂層２を積層したものであり、このヒートシール用合成樹脂層２は、基材１より融点の低いものである。
【００１７】
このヒートシール用合成樹脂層２は、Ｔダイ法により形成されたものであり、所定の間隔で流れ方向に平行に突条３を形成している。この突条３の高さｈは、１〜５ミクロンが適当である。
【００１８】
この発明の第２実施例の包装用フイルムでは、突条３の部分が厚く、他の部分より丈夫になっている。そのため、この包装用フイルムを引き裂くと、裂け目が突条３の部分にきても、他の部分の方が弱いので、突条３の部分を乗り越えて裂けない。
【００１９】
そのため、この包装用フイルムに突条３に平行な二つの切れ目を入れておき、その間を引っ張ると、帯状に切れるので、ティアテープが不要になる。しかも、材料となるプラスチックは従来のものであるので、価格の安い包装用フイルムとなる。
【００２０】
〔第３実施例〕
図４は、この発明の包装用フイルムの第３実施例の拡大断面図であり、厚さ約２０ミクロンの延伸ポリプロピレンフイルムからなる基材１の両側の面にコーポリタイプのポリプロピレンからなる厚さ約２ミクロンのヒートシール用合成樹脂層2a，2bを積層したものであり、このヒートシール用合成樹脂層２は、基材１より融点の低いものである。
【００２１】
このヒートシール用合成樹脂層2a，2bは、Ｔダイ法により形成されたものであり、一方のヒートシール用合成樹脂層2bには所定の間隔で且つ流れ方向に平行に突条３を形成している。この突条３の高さｈは、１〜５ミクロンが適当である。
【００２２】
もう一方のヒートシール用合成樹脂層2aは、従来と同様に表面が平滑なものであり、表面に印刷できるようになっている。
【００２３】
この発明の第２実施例の包装用フイルムでは、突条３の部分が厚く、他の部分より丈夫になっている。そのため、この包装用フイルムを引き裂くと、裂け目が突条３の部分にきても、他の部分の方が弱いので、突条３の部分を乗り越えて裂けない。
【００２４】
そのため、この包装用フイルムに突条３に平行な二つの切れ目を入れておき、その間を引っ張ると、帯状に切れるので、ティアテープが不要になる。しかも、材料となるプラスチックは従来のものであるので、価格の安い包装用フイルムとなる。
【００２５】
以上が実施例の説明であり、基材１を延伸ポリプロピレンフイルムとしたが、他の一軸又は二軸延伸プラスチックフイルム、例えばナイロン、ポリエチレンテレフタレート、セロファン等に変更可能である。ヒートシール用合成樹脂層は、前記基材１より融点の低いものであれば適宜選択可能である。
【００２６】
また、基材１やヒートシール用合成樹脂層２，４の厚さは、一般に使用されている厚さまで変更可能である。
【００２７】
また、製造の容易性より表面の突条を流れ方向に平行に設けた例を示したが、基材１の流れ方向に直交する方向として実施することもできる。
【００２８】
【発明の効果】
この発明の包装用フイルムでは、上記実施例で説明したように従来の包装用フイルムと同じ材料でありながら、ティアテープを使用しなくても帯状に切れるので、価格の安い、しかも便利なものとなる。
【図面の簡単な説明】
【図１】この発明の包装用フイルムの斜視図である。
【図２】この発明の包装用フイルムの第１実施例を示す拡大断面図である。
【図３】この発明の包装用フイルムの第２実施例を示す拡大断面図である。
【図４】この発明の包装用フイルムの第３実施例を示す拡大断面図である。
【図５】従来の包装用フイルムの拡大断面図である。
【符号の説明】
１ 基材
２，2a，2b ヒートシール用合成樹脂層
３ 突条
【図１】
0003557491.tif 000002
【図２】
0003557491.tif 000003
【図３】
0003557491.tif 000004
【図４】
0003557491.tif 000005
【図５】
0003557491.tif 000006